(57)【特許請求の範囲】
【請求項１】
シートロールから切断された記録シートを挟んで対向される高電圧印加の一対の荷電器を備えた荷電機構において、前記対向方向に移動可能に前記荷電器の一方を案内する案内手段と、移動可能な前記荷電器の対向方向の位置を制御する位置制御機構と、通過する記録シートのカール状態に応じて予め記憶されたプログラムを呼び出して前記位置制御機構に位置制御信号を与える制御装置とを備えることを特徴とする荷電機構。
【請求項２】
前記位置制御機構は、前記制御装置からの位置制御信号を入力できるステッピングモータ、このステッピングモータの回転運動を変換して前記荷電器に伝達するコネクティングロッド及びベルクランクとを有することを特徴とする請求項１記載の荷電機構。
【請求項３】
前記記録シートは製版機のマスターシートであり、前記荷電器は通過するマスターシートの画像面に帯電を行うマイナス側荷電器であることを特徴とする請求項１または請求項２のいずれかひとつに記載の荷電機構。
【発明の詳細な説明】
【０００１】
【発明の属する技術分野】
本発明は記録シートの表面に帯電を行う荷電装置に関し、特に製版機の荷電器に適した荷電機構に関する。
【０００２】
【背景技術】
周知のように、印刷原版である印刷マスターを作成する製版機においては、感光性のマスターシートの表面に固定した帯電器により帯電を行った後、マスターシートに静電潜像を形成し、現像を行って必要な印刷マスターを得る。
そして、最近の製版機では、図７に示すようなボビンＢに巻かれたマスターシートロールＲが用いられ、同マスターシートロールＲから引き出されたウエブ状感光シートが切断されてマスタシートとして用いられる。
【０００３】
【発明が解決しようとする課題】
ところで、ボビンＢに巻かれたマスターシートロールＲには”巻グセ”があり、同”巻グセ”により切断されたマスターシートＸの前後端にカール部が形成される問題がある。つまり、この”巻グセ”は、紙ベースの酸化亜鉛紙に比較して、最近開発された腰の強い樹脂シートベースやアルミ箔ベースで特に問題になる。
【０００４】
即ち、位置の荷電器を通過するマスターシートＸの位置は、図８（ａ）で示すように、先端カール部ｘ１と後端カール部ｘ２の位置で大きく変化するが、固定された荷電器で同マスターシートの表面に帯電を行うと、図８（ｂ）で示すように、先端カール部ｘ１と後端カール部ｘ２の帯電量が他の一般部よりも著しく多くなる。
つまり、従来のように、固定された帯電器でマスターシートの帯電を行うと、先端カール部と後端カール部の位置で帯電量が変化してしまうから、この帯電量の不均一性で形成される画像に濃淡ムラが発生し、画像品質が損なわれる。この濃淡ムラは、印刷原版を作成する製版機では、画像品質が要求されるために、特に問題視される。
なお、前述した”巻グセ”の問題は、マスターシートロールＲでの感光シートの巻径、つまりボビンＢに対する巻始めと巻終わりの部分とを比較すると、前後端カール部が異なり、巻径が小さいほどカールが強くなる。
【０００５】
本発明の目的は、以上に述べたような従来の固定荷電器の問題に鑑み、シートロールから切断されたカールのあるマスターシートを均一に帯電できる荷電機構を得るにある。
【０００６】
【課題を解決するための手段】
この目的を達成するため、本発明は、シートロールから切断された記録シートを挟んで対向される高電圧印加の一対の荷電器を備えた荷電機構において、前記対向方向に移動可能に前記荷電器の一方を案内する案内手段と、移動可能な前記荷電器の対向方向の位置を制御する位置制御機構と、通過する記録シートのカール状態に応じて予め記憶されたプログラムを呼び出して前記位置制御機構に位置制御信号を与える制御装置とを備える荷電機構を提案するものである。
【０００７】
後述する本発明の好ましい実施例の説明においては、
１）前記位置制御機構は、前記制御装置からの位置制御信号を入力できるステッピングモータ、このステッピングモータの回転運動を変換して前記荷電器に伝達するコネクティングロッド及びベルクランクとを有する構造、
２）前記記録シートは製版機のマスターシートであり、前記荷電器は通過するマスターシートの画像面に帯電を行うマイナス側荷電器である構造
が説明される。
【０００８】
【発明の実施の形態】
以下、図面に示す本発明を施された製版機の実施例を説明する。
図１は必要に応じてデジタル画像または原稿画像を処理できるデジタル製版機の全体断面を示し、外部光を遮光できる機体１の右下部にはそれぞれサイズの異なったマスターシートロールＲを装架できる第１給紙装置２Ａ及び第２給紙装置２Ｂが内蔵される。
【０００９】
これらの第１給紙装置２Ａ及び第２給紙装置２Ｂは、マスターシートロールＲを取り付けられる着脱自在な装架ドラム２ａ、マスターシートＸの先端を引き出す繰出ローラ２ｂ、同マスターシートＸを指定された長さに切断するカッター２ｃ、給紙ローラ２ｄをそれぞれ備え、切断されたマスターシートＸは第１パス３ａ及び第２パス３ｂを通って、前記第１給紙装置２Ａの上部にある給紙パス３に送り出される。
同給紙パス３の途中にはマスターシートＸに荷電を行う荷電機構４が設けられ、同荷電機構４の後述する荷電器間を通ったマスターシートＸは副走査速度で調速駆動される機体１の上部中央のフィードロール５に供給される。
また、前記給紙パス３の上部には図１の紙面と直角な主操作方向に原稿画像を走査するレーザ走査ユニット６が位置され、図示を省略するコンピュータなどからのデジタル画像が同レーザ走査ユニット６からフィードロール５の表面に走査される。
【００１０】
フィードロール５に位置したマスターシートＸの表面にはフィードロール５の調速回転下にレーザ走査ユニット６から原稿画像がビーム走査され、同走査によりマスターシートＸの感光面に原稿画像が潜像化されるが、同潜像化マスターシートＸは、中間案内ユニット７を通って機体１の略中央部に略垂直向きに配置した露光台装置８に供給され、同露光台装置８から機体１の左下部にある湿式現像装置９に引き渡される。
また、機体１の左上部には原稿画像を光学的に取り込む原稿台１０が設けられ、同原稿台１０上の原稿の画像は露光光学系１１を用いて前記露光台装置８の露光台８ａの表面に投影される。即ち、図示露光光学系１１は原稿がセットされる原稿台１０を照明する照明ランプ１１ａ、原稿画像を露光台８ａの表面に結像する投影レンズ１１ｂ、ミラー１１ｃとから構成される。
【００１１】
前述した湿式現像装置９はマスターシートＸが通過される現像パレット１２上に現像液を噴出する現像液ノズル１３を有し、マスターシートＸの搬送方向に下降傾斜された前記現像パレット１２の下方には現像液を回収する現像液槽１４が位置してある。
また、前記現像パレット１２の後端部には絞りローラ装置１５が位置してあり、同絞りローラ装置１５の後述する絞りローラの回転運動によりマスターシートＸの表面の余剰の現像液が除去される。
【００１２】
原稿画像を現像されたマスターシートＸは湿式現像装置７の出口側に隣り合わされた加熱定着装置１６で乾燥されてトナー画像を定着され、機体１の左側下部に設ける排紙ローラ１７の排出運動で機体１外部の捕集トレー１８上に捕集されることになる。
【００１３】
図３及び図４に拡大して示すように、前述した帯電機構４は１点鎖線で示す給紙パス３を挟んで対向状態におかれた略同一構造のマイナス側荷電器４Ａ及びプラス側荷電器４Ｂを備える。つまり、これらのマイナス側荷電器４Ａ及びプラス側荷電器４Ｂは対向面のみを開放された金属板製の細長いチャージャケース２１をそれぞれ有し、これらのチャージャケース２１の内部にはコロナ放電を行う２本のチャージ線２３がそれぞれ配置される。
また、対応チャージャケース２１の端面から外部に突出された各チャージ線２３の端子２３ａには高電圧発生器（図示せず）が結線され、高電圧発生器からの高電圧が各チャージ線２３に印加される。
【００１４】
また、図２に示すように、機体１の側部フレーム２２Ａ，２２Ｂの内面には前記マイナス側荷電器４Ａ及び前記プラス側荷電器４Ｂの対向方向に延長された一対のガイドレール２５，２６がそれぞれ固定され、これらのガイドレール２５，２６に沿って移動できる可動台２７には前記マイナス側荷電器４Ａが保持される。即ち、前記側部フレーム２１，２２間を横断する方向に延長した前記可動台２７はその下部に保持レール２７ａを有し、この保持レール２７ａに対してはマイナス側荷電器４Ａのチャージャケース２１が図３の紙面と直角な方向より摺動的に取り付けることができる。
【００１５】
また、図２に示すように、前記側部フレーム２２Ａ，２２Ｂには前記可動台２７に臨んで取付ブラケット２８，２９がそれぞれ固定され、これらの取付ブラケット２８，２９の枢支軸３１には同枢支軸３１を中心として回動できるベルクランク３３がそれぞれ取り付けられる。
これらのベルクランク３３の主動端部３３ａは接続ピン３５で可動台２７の両端に接続され、位置制御機構を構成する同ベルクランク３３の従動端部３３ｂは可動台２７及びマイナス側荷電器４Ａの位置制御を行うコネクティングロッド３７の一端部３７ａにピン接手される。
【００１６】
図２及び図３に示すように、マイナス側荷電器４Ａの位置制御のため、機体１にはステッピングモータ３９が据え付けられ、図示を省略するＣＰＵなどの制御装置からの制御信号により同ステッピングモータ３９の回転各制御が行われる。即ち、ステッピングモータ３９はタイミングベルト４１を介して中心軸４３ａをもつ駆動ディスク４３を回転制御するが、位置制御機構を構成するこの駆動ディスク４３の偏心ピン４３ｂにはコネクティングロッド３７の他端部３７ｂが係合される。
【００１７】
なお、ステッピングモータ３９を制御する制御装置には、マスターシートロールＲの種類に応じた複数の工程プログラムが記憶され、マスターシートＸの通過タイミングに応じて対応した工程プログラムが呼び出されてマイナス側荷電器４Ａの位置制御が行われる。また、後述するように、これらの工程プログラムには、マスターシートロールＲの巻径に対応した補助プログラムを用意することもでき、この場合、マスターシートロールＲの感光シート消費量積算から割り出された巻径に応じて同補助プログラムを使用してもよい。
【００１８】
図示実施例の荷電機構は、以上のような構成であるから、マスターシートＸが荷電機構の位置を通過する際、給紙パス３に対するマイナス側荷電器４Ａの位置が調整され、通過するマスターシートＸの画像面の帯電量が均一化される。つまり、図５に示すように、マスターシートＸの先端カール部ｘ１及び後端カール部ｘ２が位置を通過する場合、マイナス側荷電器４Ａが矢印で示すように、プラス側荷電器４Ｂから離間されるように移動され、同先端カール部ｘ１及び後端カール部ｘ２の通過後に、図４に示す位置にマイナス側荷電器４Ａが戻され、マスターシートＸの中間部の帯電処理が行われる。
【００１９】
図６は帯電処理されるマスターシートＸとマイナス側荷電器４Ａによる帯電量との関係を示し、位置を通過するマスターシートＸは、図６（ａ）に示すように、先端カール部ｘ１及び後端カール部ｘ２を有しており、これらの先端カール部ｘ１及び後端カール部ｘ２はマイナス側荷電器４Ａ側に凸な状態にある。なお、図６（ａ）の破線はマスターシートロールＲの巻径が大きな場合を、同図の実線はマスターシートロールＲの巻径が比較的小さく感光シートが終端に近い場合である。
【００２０】
図６（ｂ）はマイナス側荷電器４Ａの位置制御曲線α（工程プログラム）であり、図６（ａ）との比較から理解されるように、マイナス側荷電器４Ａは先端カール部ｘ１及び後端カール部ｘ２の通過タイミングで距離Ｌだけ給紙パス３から離間される位置制御が行われる。この位置制御は、使用されるマスターシートロールＲとカットされるマスターシートＸの長さに応じて予めプログラム記憶させるものであるが、図６（ｂ）の破線は巻径が大きな場合、実線は巻径が比較的小さく感光シートが終端に近い場合のプログラムである。
【００２１】
図６（ｃ）はマイナス側荷電器４Ａが図６（ｂ）の工程プログラムにしたがって位置制御された場合のマスターシートＸの画像面での帯電曲線βである。同図から理解されるように、マスターシートＸの画像面での帯電量は、先端カール部ｘ１及び後端カール部ｘ２の存在に拘わりなく、略均一な状態になる。
【００２２】
なお、前述した本発明の実施例では、本発明を製版機に施した場合を例示したけれども、本発明の荷電機構は他の画像形成装置にも適用できるのは改めて指摘するまでもない。
【００２３】
【発明の効果】
以上の説明から明らかなように、本発明の荷電機構によれば、シートロールからカットされた記録シートに”巻グセ”があっても、画像面を均一に帯電できるから、均一な画像面帯電により画像品質を向上できる。
【図面の簡単な説明】
【図１】本発明を施した製版機の全体断面図である。
【図２】同製版機の荷電機構の水平断面図である。
【図３】同荷電機構の図２の３−３線に沿う断面図である。
【図４】マスターシートの一般部との関係を示す同荷電機構要部の一部切り欠き拡大図である。
【図５】マスターシートの先端部との関係を示す図４と同様の図である。
【図６】（ａ）は荷電位置でのマスターシートの形状、（ｂ）位置制御曲線、（ｃ）マスターシート表面の帯電曲線をそれぞれ示す。
【図７】従来のマスターシートロールの説明図である。
【図８】（ａ）カールしたマスターシート、（ｂ）従来のマスターシート表面の帯電量変化をそれぞれ示す。
【符号の説明】
Ｒ                マスターシートロール
Ｘ                マスターシート
ｘ１                  先端カール部
ｘ２                後端カール部
４                荷電機構
４Ａ              マイナス側荷電器
４Ｂ              プラス側荷電器
２２Ａ，２２Ｂ    側部フレーム
２５，２６        ガイドレール
２７              可動台
２８，２９        取付ブラケット
３３              ベルクランク
３７              コネクティングロッド
３９              ステッピングモータ
４３              駆動ディスク
【図１】
0003613242.tif 000002
【図２】
0003613242.tif 000003
【図３】
0003613242.tif 000004
【図４】
0003613242.tif 000005
【図５】
0003613242.tif 000006
【図６】
0003613242.tif 000007
【図７】
0003613242.tif 000008
【図８】
0003613242.tif 000009